【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】
複数のチャンネルでテレビ番組を表わす信号を受信するための受信機であって、
第１のチャンネルで信号を受信するための第１のチューナと、
前記第１のチューナによって受信される信号を表わすデータをバッファするための第１のデータバッファと、
第２のチャンネルで同時に信号を受信するための第２のチューナと、
前記第２のチューナによって受信される信号を表わすデータをバッファするための第２のデータバッファと、
前記第１のチューナおよび前記第２のチューナによって同時に受信される前記第１および第２のチャンネルの信号を表わすデータを記録するためのレコーダと、
テレビ画面上に表示されるべきテレビ画像を表わす前記レコーダからのデータをバッファするための第３のデータバッファと、
データを前記第１のデータバッファまたは前記第２のデータバッファから前記レコーダに選択的に転送させて前記転送されたデータを記録し、かつ前記レコーダから前記第３のデータバッファにデータを転送させるプロセッサとを含み、
前記レコーダは、前記第１および第２のデータバッファにバッファされたデータを記録し、前記レコーダから前記第３のデータバッファにデータを転送するよう連続的に動作可能であり、連続的に記憶され転送された前記データは、前記第１および第２のチューナによって同時に受信され、前記第３のデータバッファから出力される信号をそれぞれ表わす、受信機。
【請求項２】
前記第１のデータバッファは、データを表わす信号を第１のデータレートで前記第１のチューナから受信するように構成され、前記第２のデータバッファは、データを表わす信号を第２のデータレートで前記第２のチューナから受信するように構成され、データが前記第１のデータバッファまたは前記第２のデータバッファから前記レコーダに選択的に転送されるレートは、組合された前記第１および第２のデータレートに等しいかまたはそれよりも高い、請求項１に記載の受信機。
【請求項３】
前記第３のデータバッファは、データを表わす信号を第３のデータレートで出力するように構成され、データが前記レコーダから前記第３のバッファに選択的に転送されるレー
トは、組合された前記第１、第２および第３のデータレートに等しいかまたはそれよりも高い、請求項１または２に記載の受信機。
【請求項４】
データが前記第１のデータバッファまたは前記第２のデータバッファから前記レコーダに選択的に転送されるレートは、組合された前記第１、第２および第３のデータレートに等しいかまたはそれよりも高い、請求項１から３のいずれかに記載の受信機。
【請求項５】
複数のチャンネルでテレビ番組を表わす信号を受信するための受信機であって、
第１のチャンネルで第１のテレビ番組を表わす信号を受信するための第１のチューナと、
第２のチャンネルで第２のテレビ番組を表わす信号を同時に受信するための第２のチューナと、
前記第１のチューナおよび前記第２のチューナによって受信される前記第１および第２のチャンネルの信号を表わすデータを記録し、同時に以前に記録された第３のテレビ番組を再生するように構成されるレコーダとを含み、前記第３のテレビ番組は、前記第１および第２のテレビ番組とは独立して前記レコーダから再生用に選択可能である、受信機。
【請求項６】
前記レコーダはハードディスクを含む、請求項１から５のいずれかに記載の受信機。
【請求項７】
前記レコーダは光学記憶媒体を含む、請求項１から５のいずれかに記載の受信機。
【請求項８】
複数のチャンネルで信号を受信するための受信機であって、前記信号は、テレビ番組を表わすテレビ信号と、前記テレビ番組の予め定められた部分を示す情報信号とを含み、前記受信機は、
前記情報信号の受信に応答して制御信号を生成するためのデコーダ回路と、
前記制御信号を受け、受信された前記テレビ信号を表わすデータを記録するためのハードディスクレコーダとを含み、前記レコーダは、前記制御信号に応答して、前記テレビ番組の前記予め定められた部分を表わすテレビ信号の受信中に、前記受信されたテレビ信号を表わすデータの記録を中断する、受信機。
【請求項９】
前記情報信号は、前記テレビ番組の前記予め定められた部分の始めを表わす第１の情報信号と、前記予め定められた部分の終わりを表わす第２の情報信号とを含み、前記デコーダは、前記第１の情報信号の受信に応答して第１の制御信号を、および前記第２の情報信号の受信に応答して第２の制御信号を生成するように構成され、前記レコーダは、前記第１の制御信号の受信に応答して、受信されたテレビ信号を表わすデータの記録を中断し、前記第２の制御信号の受信に応答して、受信されたテレビ信号を表わすデータの記録を再開するように構成される、請求項８に記載の受信機。
【請求項１０】
前記情報信号および前記制御信号は、前記テレビ番組の前記予め定められた部分の持続期間を示し、前記レコーダは、制御信号の１つが示す持続期間の間、受信されたテレビ信号を表わすデータの記録を中断することによりその１つの制御信号の受信に応答するように構成される、請求項８に記載の受信機。
【請求項１１】
前記情報信号および前記制御信号は、前記テレビ番組の前記予め定められた部分の持続期間を示し、前記レコーダは、受信されたテレビ信号を表わすデータの記録を中断することにより前記制御信号のうち１つの受信に応答し、その１つの制御信号が示す前記持続期間の終わりに記録を再開するように構成される、請求項８に記載の受信機。
【請求項１２】
テレビ番組を表わすテレビ信号と前記テレビ番組の予め定められた部分の始めおよび／または終わりを示す情報信号とを受信するための受信機であって、
受信されたテレビ信号を表わす番組データおよび前記予め定められた部分の前記始めおよび／または終わりを示すインジケータデータを記録するための、かつそれによって表わされる前記テレビ番組を画面上に表示するために記録されたデータを再生するためのレコーダと、
前記記録されたデータの再生中に、対応のインジケータデータが示すように、前記レコーダに、前記テレビ番組の前記予め定められた部分の前記始めおよび／または終わりへ飛ぶようにさせるよう動作可能であるユーザ操作可能制御手段とを含む、受信機。
【請求項１３】
前記インジケータデータは、前記予め定められた部分の始めおよび／または終わりの時間コードを含む、請求項１２に記載の受信機。
【請求項１４】
前記時間コードは前記情報信号に含まれる、請求項１３に記載の受信機。
【請求項１５】
前記情報信号は前記テレビ信号とともに受信される、請求項１２から１４のいずれかに記載の受信機。
【請求項１６】
前記インジケータデータは、前記番組データとは別個のメタデータとして記憶される、請求項１２から１５のいずれかに記載の受信機。
【請求項１７】
前記テレビ番組は、１つ以上の広告による中断によって分断される複数の前記予め定められた部分を含み、前記ユーザ操作可能制御手段は、前記記録されたデータの再生中に、前記インジケータデータが示すように、前記レコーダに前記１つ以上の広告による中断を飛ばさせるよう動作可能である、請求項１２から１６のいずれかに記載の受信機。
【請求項１８】
前記レコーダはハードディスクを含む、請求項１２から１７のいずれかに記載の受信機。
【請求項１９】
前記レコーダは光学記憶媒体を含む、請求項１２から１７のいずれかに記載の受信機。